(57)【要約】      （修正有）【課題】仔豚用給餌器に関し、縦長ホッパーの下が狭窄形状になっている物の中に中空駆動パイプを通し狭窄部まで貫通させ、その中空駆動パイプの下部にはらせんスクリューが取り付けられ、モーターで中空駆動パイプを回す事ができ、そのパイプの中には温水を通す構造において、給水路が回転するパイブとの接続箇所から経年老化で水漏れが起こる問題を改善した仔豚用給餌器を提供する。【解決手段】給水パイプ２５は受け皿の下を通し中央部の餌受け窪み２３ａに接続し、給水パイプ２５から流れて来た湯が餌受け窪み２３ａの中央に湧き出る様に流れる構造とする。餌受け窪み２３ａの温水噴出口２５ａに攪拌スクリュー２２のスクリュー下回転突起２２ｂを入れ、スクリュー回転突起２２ａは、駆動棒下部１９ａに差込、駆動棒１９の回転により攪拌スクリュー２２が回る構造とする。【選択図】図５
0003180272.tif 000002
【実用新案登録請求の範囲】
【請求項１】
仔豚用給餌器であって、上半分が略円筒状で下半分は漏斗状のホッパー容器と、該ホッパー容器の最下部には餌出口となる狭窄部を設け、該狭窄部の下には餌受け皿を設けて、ホッパー容器内にはホッパー上部から狭窄部を貫くようにモーターに連結された駆動棒を設け、該駆動棒の周囲にはらせん状に金属の帯板を巻きつけた餌押し部とブリッジ防止円盤とを設け、モーターにより駆動棒に設けられたブリッジ防止円盤と餌押し部が回転することでホッパー内の餌が餌受け皿に押し出されることを特徴とする仔豚用給餌器。
【請求項２】
請求項１の構造の仔豚用給餌器に、電気ヒータを備えた給水タンクと、給水タンク下部に付けた給水ソレノイドから餌受け皿の底を貫通して餌受け皿中央に通じる給水パイプとを設け、電気ヒーターで湯を作り、湯は、給水タンク下部に付けた給水ソレノイドから餌受け皿の底を貫通して餌受け皿中央に設けた給水パイプを通して餌受け皿中央から出水する構造とする事を特徴とする仔豚用給餌器。
【考案の詳細な説明】
【技術分野】
【０００１】本考案は、仔豚に人工乳を与えるのに好適な養豚用給餌器に関するものである。
【背景技術】
【０００２】この種の仔豚用給餌器としては、従来より種々の形式のものが提案されている。例えば、図９に示すように、縦長ホッパー（１）の下が狭窄形状になっている物の中に中空駆動パイプ（２）を狭窄部まで貫通させて通し、その中空駆動パイプ（２）の下部にはブリッヂ防止バー（３）とらせんスクリュー（４）が取り付けられ、モーター（６ｂ）で中空駆動パイプ（２）を回す事ができる。また、その中空駆動パイプ（２）の中には温水を通す事ができる構造とし、始動した場合、給水口（７）から入った水がヒーター（６ａ）により温水になり、給水ソレノイドバルブ（６ｃ）が開くことにより温水が中空駆動パイプ（２）を通りホッパーの下の中空駆動パイプ下部（２ａ）へと流れ込む。中空駆動パイプ（２）を回すことにより餌が、らせんスクリュー（４）により押し出され、中空駆動パイプ（２）の回る力によりスクリュー（５）が回り、お湯と人工乳がかき混ぜられ受け皿（８）に出る仕組みとし、更に、給餌スイッチバー（１５）を仔豚が触れるとある一定時間餌が出る仕組みの構造の給餌器が主流であった。
【先行技術文献】
【特許文献】
【０００３】
【特許文献１】ＷＯ  ０２／０８０６６０  Ａ１
【考案の概要】
【考案が解決しようとする課題】
【０００４】従来の人工乳給餌器は、縦長ホッパー（１）に餌を入れるため図１０に示す様に、ブリッヂ防止バー（３）で餌を攪拌しても、カマ型のブリッヂ防止バー（３）では縦長ホッパー（１）内で餌がブリッヂ状態になって餌の図９の餌内に空洞（３３ａ）が出来てしまい、餌が出なくなってしまう問題が有った。また、中空駆動パイプ（２）内にお湯を通して給水する構造では、図１３の様に駆動部と給湯部の給水連結部（６ｄ）にＯリング（６ｆ）を介して接続する方法しか無く、経年変化でＯリング（６ｆ）が磨耗し水漏れを起こす事が多々ある。
さらに、上水道を直接給水口に接続して給水する方法では、農場や豚舎に於いてはその時々で水圧が異なるので、使用中に湯の出方が変わってしまう為、一定の練り状態の人工乳が作れないと言う欠点があった。
特に、この人工乳を食する仔豚は、未熟児の仔豚なども居る為、餌の練り方には非常に注意しないと直ぐに下痢などを起こし死亡してしまうのである。【０００５】母豚の乳首は、個体差によるが１０から１４ヶ所しか無いが、生まれる仔豚が１７頭にもなる時がある。そのため、弱い仔豚は乳を飲む事が出来ず、仲間に跳ねられてしまう。そうした仔豚や親豚が死亡した仔豚の飼育には自動人工乳器が必要である。
しかも、豚の性質は、同じ時間に母豚の乳を飲みたがる為、空いている時間に飲むことはしないのである。【０００６】図９の様に、小麦粉のような粒子の細かい摩擦係数の多い餌を縦長ホッパー（１）に入れると、カマ型のブリッヂ防止バー（３）が回り餌を落とそうとしても、餌（３３）の中心部のみ落ちてしまい。橋の欄干の様に餌の中で餌の空洞（３３ａ）で出来てしまうのは周知の通りだ。このブリッチ現象を防止する逆三角睡の金具が今までなかった。
【課題を解決するための手段】
【０００７】本考案は、上記課題を解決するためのものであって、その要旨とするところは、図２の様に餌を入れるホッパー（１７）の中間部（１７ｄ）から下を、すいかんの様にし、その下にホッパー狭窄部（１７ａ）を設け、さらにその末端にホッパー餌口カバー（１７ｂ）を具備させ、駆動棒（１９）の下部にブリッヂ防止円盤（２０）具備させ、その下にらせん餌押し部（２１）を設けた駆動棒（１９）をホッパー（１７）の上部から下部に挿入して、上端でモーター（２４）の回転軸と接続させ、モーター（２４）の回転する事により駆動棒（１９）が回り餌を下に押し出す構造とする。
さらに、駆動棒下部（１９ａ）には、攪拌スクリュー（２２）のスクリュー回転突起（２２ａ）をはめ込む事により、駆動棒（１９）の回転で攪拌スクリュー（２２）も回転構造とする。【０００８】図２の上部に給水タンク（２９）を設け、その内部は、給水口（２９ｂ）の下にフロート（２９ａ）を設け、入ってくる水をフロートの浮力により停水させる事ができる。タンク内にはヒーター（２９ｄ）及び温度センサー（２９ｃ）が有り、水をお湯にする事ができ、タンクの下部にはソレノイドバルブ（３０）を設け、電気的に湯の流れを制御できる。ソレノイドバルブ（３０）の下を調整コック（３０ａ）に接続し水量を制御できる。調整コック（３０ａ）に給水パイプ（２５）を接続して、給水パイプ（２５）は、筐体支持柱（１８）に沿って下に行き餌受け皿（２３）の下を通り餌受け窪み（２３ａ）の中央に接続する。
給水タンク（２９）で作られた湯は、ソレノイドバルブ（３０）、調整コック（３０ａ）を通り、給水パイプ（２５）、餌受け皿（２３）の下を通り餌受け窪み（２３ａ）の中央から湧き出すように出てくる仕組みとする。【０００９】図１に示す様に、駆動棒（１９）をモーター（２４）で回し、給水タンク（２９）に注水し、ヒーター（２９ｄ）に通電してお湯を作り、ソレノイドバルブ（３０）を開放し、調整コック（３０ａ）を開き湯を流す。餌（３３）は、ホッパー狭窄部（１７ａ）から、らせん餌押し部（２１）により餌受け窪み（２３ａ）に押し出される。そこに給水タンク（２９）から出た湯と攪拌スクリュー（２２）により混ぜられペースト状態で餌受け皿（２３）に出てくる構造とする。
【考案の効果】
【００１０】図１に示すようにホッパー（１７）中に通す駆動棒（１９）に固着された車のハンドルの様な形のブリッヂ防止円盤（２０）がホッパー（１７）の中間部（１７ｄ）の内縁を引掻くように回転するので餌がかき落とされるので、ホッパー内で餌が崩れブリッヂ現象が起きない。【００１１】図２の給水タンク（２９）内にフロート（２９ａ）を設け、給水口（２９ｂ）から入った水が一端、タンク内に貯める為、従来品の様に水道水などの直結でないため水圧の変化が無いので、湯となって出て来る水圧が常に一定である為、人工乳の作りが常に同じ状態で作る事が出来る。【００１２】図１３の従来品は、給水ソレノイドバルブ（６ｃ）と中空駆動パイプ（２）の間に給水連結部（６ｄ）が有る為、経年疲労により、給水連結部（６ｄ）のＯリング（６ｆ）が磨耗し湯が漏れる。
本考案では、駆動部と給水経路が別なので湯の漏れの心配が無い。
【図面の簡単な説明】
【００１３】
【図１】本考案の給餌器の本体傾斜図
【図２】本考案の給餌器の断面図
【図３】本考案の攪拌スクリューの傾斜図
【図４】本考案の給餌器本体をリフトアップによる違いを示した側面図
【図５】本考案の餌受け皿の断面図
【図６】本考案のホッパーの断面図
【図７】本考案の電源・制御のユニット構成図
【図８】本考案の参考フローチャート図
【図９】従来の人工乳給餌器の断面図
【図１０】従来の人工乳給餌器の傾斜図
【図１１】本考案の調整コックの断面図
【図１２】本考案の駆動棒の部分を書き出した側面図
【図１３】従来の中空駆動パイプの部分を書き出した傾斜図
【図１４】従来品と本案のブリッヂ防止板とを比べて表示した部分傾斜図
【図１５】本案の攪拌スクリュー部分を抜き出した傾斜図
【考案を実施するための形態】
【００１４】以下、本考案の仔豚給餌器の好適な実施形態について、図面を参照して詳細に説明する。
【００１５】図１に示すように、仔豚の人工乳を入れるホッパー（１７）は、中間部（１７ｄ）から下を、すいかんの様にし、その下にホッパー狭窄部（１７ａ）を設け、その末端にホッパー餌口カバー（１７ｂ）を具備し、パイプの下のほうにブリッヂ防止円盤（２０）を取り付け、その下にらせん餌押し部（２１）具備した物を駆動棒（１９）とし、これをホッパー（１７）の上部（１７ｃ）から中に入れ、ホッパー狭窄部（１７ａ）にらせん餌押し部（２１）を通し、駆動棒下部（１９ａ）に攪拌スクリュー（２２）のスクリュー回転突起（２２ａ）を差込、モーター（２４）の回転により駆動棒（１９）が回り、それに伴いブリッヂ防止円盤（２０）、らせん餌押し部（２１）、攪拌スクリュー（２２）が回転する構造をなす。
さらに、給水タンク（２９）で湯を作り、湯は、給水タンク（２９）下部に付けたソレノイドバルブ（３０）、調整コック（３０ａ）、給水パイプ（２５）を通り餌受け皿（２３）の底を貫通して餌受け窪み（２３ａ）から湧き出る様に出水する構造とする。
しかも、餌の出るタイミングは、超音波センサー（２８）により仔豚の有無を感知して始動する。また、餌の出過ぎは、接触センサー（２７）で残餌を感知して防止する。
【００１６】図２では、給水タンク（２９）に給水口（２９ｂ）を取り付け水道などから水を取り入れ、フロート（２９ａ）の浮力により、水の流水を止めたり取り入れたりする機構とし、ヒーター（２９ｄ）と温度センサー（２９ｃ）で水をお湯にする事が出来る。給水タンク（２９）の下に流出口を設け、その下にソレノイドバルブ（３０）を設け電気的に湯の流れを制御出来るものとし、調整コック（３０ａ）で湯量を調整し、給水パイプ（２５）を通った湯が餌受け皿（２３）の餌受け窪み（２３ａ）下から湧き出るように流水する構造とする。
駆動棒下部（１９ａ）に具備されたブリッヂ防止円盤（２０）は、車のハンドルの様な形をしていて、ホッパー（１７）の中間部（１７ｄ）の下の内縁を引掻くように回転するので餌がかき落とされるので、ホッパー内で餌が崩れブリッヂ現象が起きない。
そのホッパー（１７）は、支持ラック（１８ａ）固定されるが、支持ラック（１８ａ）は、筐体支持柱（１８）と固着されていないで上下に可動する事ができる。
【００１７】図３は、攪拌スクリューを示したものである。攪拌スクリュー（２２）のスクリュー回転突起（２２ａ）は、駆動棒下部（１９ａ）にはめる事が出来、スクリュー下回転突起（２２ｂ）は餌受け皿（２３）の餌受け窪み（２３ａ）に有る温水噴出口（２５ａ）に挿入して、モーター（２４）の回転により駆動棒（１９）が回る事により攪拌回転するものとする。
【００１８】図４では、筐体支持柱（１８）の上端に滑車（３１）を取り付け、筐体支持柱（１８）の中央部に吊り上げレバー（３２）を可動するように１点取り付けとする。
支持ラック（１８ａ）から吊りワイヤー（３１ａ）を滑車（３１）に回し、吊り上げレバー（３２）に接続し、吊り上げレバー（３２）を上から下に押すことにより、支持ラック（１８ａ）とそれに取り付けられたホッパー（１７）が上昇する事ができる。引き下げた吊り上げレバー（３２）は、レバー留め具（３２ａ）に引っ掛ける事で留める事ができる。ホッパーを上げる事により、仔豚の入替時に高圧スチームなどで清掃する場合隅々まで清掃でき、また、器具のメンテナンスも楽にできる。下降は、ホッパー（１７）の重みで下がる。
【００１９】図５は、餌受け皿（２３）の断面を示したものである。給水パイプ（２５）は受け皿の下を通し中央部の餌受け窪み（２３ａ）に接続し、給水パイプ（２５）から流れて来た湯が餌受け窪み（２３ａ）の中央に湧き出る様に流れる構造とする。餌受け窪み（２３ａ）の温水噴出口（２５ａ）に攪拌スクリュー（２２）のスクリュー下回転突起（２２ｂ）を入れ、スクリュー回転突起（２２ａ）は、駆動棒下部（１９ａ）に差込、駆動棒（１９）の回転により攪拌スクリュー（２２）が回る構造とする。スクリュー下回転突起（２２ｂ）を餌受け窪み（２３ａ）に入れる事により、攪拌スクリュー（２２）が回転する事により餌受け窪み（２３ａ）に餌が詰るのを防止する効果がある。
【００２０】図６は、ホッパー（１７）の中に駆動棒（１９）を入れ、駆動棒（１９）に具備されたブリッヂ防止円盤（２０）と、らせん餌押し部（２１）の状態を示した図である。
駆動棒（１９）に具備されたブリッヂ防止円盤（２０）は、車のハンドルの様な形をしていて、ホッパー（１７）の中間部（１７ｄ）の内縁を引掻くように回転するので餌がかき落とされるので、ホッパー内で餌が崩れブリッヂ現象が起きない。
餌は、始めに中央が下がって減って行く、次にブリッヂ防止円盤（２０）が回転していると、側面の餌がすべり、残った餌が内側に崩れて行くのでブリッヂが起きない。
【００２１】図７は、参考までに本案の電気的構成図をしめしたものである。
構成は、電源回路、温水器、時間制御回路、仔豚感知回路、餌量出過ぎ感知回路、音声再生回路からなっている。
【００２２】図８は、本案のプログラムチャートを示したものである。
スイッチを入れると、先ずお湯を沸かし、常に設定した温水を作る様にし、ある一定時刻のみ餌が出る回路に通電するようにし、尚且つ、餌受け皿に餌がないか検知して、ない場合は、仔豚が近づくと超音波センサーで検知し、餌を出す仕組みを実現している。同時に、仔豚が近づくと超音波センサーで検知し、母豚の鳴き声を再生するような仕組みとする。仔豚は、母豚の声で餌の時間を認識している為である。
【００２３】図１１は、調整コック（３０ａ）の断面図である。図のコックには流通孔小（３０ｃ）、流通孔中（３０ｄ）、流通孔大（３０ｅ）と角度を変え貫通孔を設けることにより、コックバー（３０ｂ）を決められた角度に回す事により最適な数量を流す事が出来る。調整コック（３０ａ）に決まった穴のサイズの貫通孔が有るため、誰が操作しても同じ水量を流す事ができる。
【００２４】図１２は、本案の駆動棒（１９）部分を抜き出して表現をした傾斜図である。
駆動棒（１９）に円錐型からなるものを、車のハンドルの様にくり貫いたブリッヂ防止円盤（２０）を固着させ、その下にらせん餌押し部（２１）を付け、モーター（２４）で回転する事ができ、その回転力により、攪拌スクリュー（２２）を回す事ができる構造とする。
【００２５】図１４は、従来の物と本考案のブリッチ防止板の部分を抜粋して表現した所で、従来の物では、ブリッヂ防止バー（３）がカマ型に成っているのが殆どである。ホッパーの中に餌を入れると約２０Ｋｇも有るのでカマ型のブリッヂ防止バー（３）では強度不足になり折れ曲がってしまう事が多々有った。また、従来の構造では、餌の中心部のみ餌が落ちるが、壁面の餌が落ちない現象がみられた。
本案は、カマ型のブリッチ防止板を２枚出し、その先端部を円形につないだものにした。この事により、ブリッチ防止板に掛かる力が引っ張る力と押す力により、餌の重みで回転が止まったりしない様になった。その上、ホッパーの内面をまんべんなく擦る為、餌がホッパーの内壁面に残る事がなくなった。
【００２６】図１５の様に、餌受け窪み（２３ａ）の温水噴出口（２５ａ）に攪拌スクリュー（２２）のスクリュー下回転突起（２２ｂ）を入れ、スクリュー回転突起（２２ａ）は、駆動棒下部（１９ａ）に差込、駆動棒（１９）の回転により攪拌スクリュー（２２）が回る構造とする。駆動棒下部（１９ａ）は、平型につぶれた構造にする事により、スクリュー回転突起（２２ａ）を差し込むだけで駆動棒（１９）の回転力を攪拌スクリュー（２２）に伝える事ができる。
スクリュー下回転突起（２２ｂ）を餌受け窪み（２３ａ）に入れる事により、攪拌スクリュー（２２）が回転する事により餌受け窪み（２３ａ）に餌が詰るのを防止する効果がある。
【符号の説明】
【００２７】１  縦長ホッパー
２  中空駆動パイプ
２ａ  中空駆動パイプ下部
３  ブリッヂ防止バー
４  らせんスクリュー
５  スクリュー
６  モーターカバー
６ａ  ヒーター
６ｂ  モーター
６ｃ  給水ソレノイドバルブ
６ｄ  給水連結部
６ｅ  温水タンク
６ｆ  Ｏリング
７  給水口
８  受け皿
９  支持アングル
１０  上下レバー
１１  スライスチャンネル
１２  モーター固定ネジ
１３  モーター取り付けプレート
１４  土台
１５  給餌スイッチバー
１６  餌感知センサー
１７  ホッパー
１７ａ  ホッパー狭窄部
１７ｂ  ホッパー餌口カバー
１７ｃ  上部
１７ｄ  中間部
１８  筐体支持柱
１８ａ  支持ラック
１９  駆動棒
１９ａ  駆動棒下部
２０  ブリッヂ防止円盤
２１  らせん餌押し部
２２  攪拌スクリュー
２２ａ  スクリュー回転突起
２２ｂ  スクリュー下回転突起
２３  餌受け皿
２３ａ  餌受け窪み
２３ｂ  餌食べ口
２４  モーター
２５  給水パイプ
２５ａ  温水噴出口
２６  コントロールボックス
２７  接触センサー
２８  超音波センサー
２９  給水タンク
２９ａ  フロート
２９ｂ  給水口
２９ｃ  温度センサー
２９ｄ  ヒーター
３０  ソレノイドバルブ
３０ａ  調整コック
３０ｂ  コックバー
３０ｃ  流通孔小
３０ｄ  流通孔中
３０ｅ  流通孔大
３１  滑車
３１ａ  吊りワイヤー
３２  吊り上げレバー
３２ａ  レバー留め具
３３  餌
３３ａ  餌の空洞
【図１】
0003180272.tif 000003
【図２】
0003180272.tif 000004
【図３】
0003180272.tif 000005
【図４】
0003180272.tif 000006
【図５】
0003180272.tif 000007
【図６】
0003180272.tif 000008
【図７】
0003180272.tif 000009
【図８】
0003180272.tif 000010
【図９】
0003180272.tif 000011
【図１０】
0003180272.tif 000012
【図１１】
0003180272.tif 000013
【図１２】
0003180272.tif 000014
【図１３】
0003180272.tif 000015
【図１４】
0003180272.tif 000016
【図１５】
0003180272.tif 000017